(57)【要約】【課題】通信に障害が発生した場合、障害の原因を特定することが可能な無線通信装置、方法及びプログラムを提供すること【解決手段】本発明に係る無線通信装置１０は、他の無線通信装置２０との間で無線通信を行う無線通信装置である。無線通信装置１０は、無線通信に影響を与える通信環境情報を取得する通信環境情報取得部１２２と、無線通信の通信品質情報を取得する通信品質情報取得部１２８と、通信品質情報に基づいて通信品質が所定値α以下と判定した時刻ｔ１に対応する通信環境情報を、通信の劣化の原因の究明のための原因解析用情報として記憶部１２３ａに格納する制御部１２５と、を備える。【選択図】図１
2020115687.tif 000002
【特許請求の範囲】
【請求項１】
他の無線通信装置との間で無線通信を行う無線通信装置であって、
前記無線通信に影響を与える通信環境情報を取得する通信環境情報取得部と、
前記無線通信の通信品質情報である前記他の無線通信装置の送信パワーレベルを取得する通信品質情報取得部と、
前記通信品質情報に基づいて通信品質が所定値以下と判定した時刻に対応する前記通信環境情報を、通信の劣化の原因の究明のための原因解析用情報として記憶部に格納する制御部と、
を備えた無線通信装置。
【請求項２】
前記制御部は、前記判定した時刻を含む所定の時間に対応する前記通信環境情報を、前記記憶部に格納する、
請求項１に記載の無線通信装置。
【請求項３】
前記制御部は、前記判定した時刻を、前記他の無線通信装置に通知する、
請求項１又は２に記載の無線通信装置。
【請求項４】
前記他の無線通信装置により通信品質が所定値以下と判定された時刻が、前記他の無線通信装置から通知された場合、前記制御部は、前記他の無線通信装置により判定された時刻に対応する前記通信環境情報を、前記記憶部に格納する、
請求項１〜３のいずれか１つに記載の無線通信装置。
【請求項５】
前記制御部は、前記通信品質情報に基づいて通信品質が所定値よりも大きいと判定した時刻に対応する前記通信環境情報を、通信の復旧の原因の究明のための原因解析用情報として前記記憶部に格納する、
請求項１〜４のいずれか１つに記載する無線通信装置。
【請求項６】
前記通信環境情報は、振動、衝撃、温度、気温及び降雨に関する情報、並びに前記無線通信の通信回線の監視情報の少なくともいずれかを含む、
請求項１〜５のいずれか１つに記載の無線通信装置。
【請求項７】
前記記憶部は、不揮発性の記憶媒体である、
請求項１〜６のいずれか１つに記載の無線通信装置。
【請求項８】
他の無線通信装置との間で無線通信を行う無線通信装置の方法であって、
前記無線通信に影響を与える通信環境情報を取得するステップと、
前記無線通信の通信品質情報である前記他の無線通信装置の送信パワーレベルを取得するステップと、
前記通信品質情報に基づいて通信品質が所定値以下と判定した時刻に対応する前記通信環境情報を、通信の劣化の原因の究明のための原因解析用情報として記憶部に格納するステップと、
を備えた方法。
【請求項９】
他の無線通信装置との間で無線通信を行う無線通信装置のプログラムであって、
前記無線通信に影響を与える通信環境情報を取得するステップと、
前記無線通信の通信品質情報である前記他の無線通信装置の送信パワーレベルを取得するステップと、
前記通信品質情報に基づいて通信品質が所定値以下と判定した時刻に対応する前記通信環境情報を、通信の劣化の原因の究明のための原因解析用情報として記憶部に格納するステップと、
をコンピュータに実行させるプログラム。
【発明の詳細な説明】
【技術分野】
【０００１】
本発明は、無線通信装置、方法及びプログラムに関するものであり、特に、変化する通信環境の中で無線通信を行う無線通信装置、方法及びプログラムに関する。
【背景技術】
【０００２】
ポイントツーポイントの無線通信においては、通信を行う無線通信装置の故障、雨や雪などの自然現象によるポイントツーポイント間の無線通信回線の通信環境の悪化、人為的なミス等の様々な要因により通信回線の障害が発生する。通信回線の障害の発生の有無は、受信信号レベル（ＲＳＬ(Received Signal Level))の低下、ビットエラー率の増加及び通信回線の遮断などを観測することにより認識できる。通信回線の障害の発生の原因は、無線通信装置から取得した装置の故障情報、受信信号レベルの情報、ビットエラー率の情報、観測所等で測定された気温や降雨等の気象に関する情報に基づいて、それらの情報を解析することにより特定される。しかしながら、それらの情報はそれぞれが独立した情報であり、通信の障害の発生原因を特定できない場合があるという問題がある。すなわち、通信の障害の発生原因が、装置故障によるものか、自然現象によるものか、それとも人為的なものなのかなどを特定することが難しい。また、一時的に障害が発生しその後に障害が復旧した場合は、過去に遡って障害の原因を特定することはさらに難しい。
【０００３】
通信回線の障害に関する技術は、種々提案されている。その一つが特許文献１に開示されている。特許文献１には、ポイントツーポイントの無線通信において、無線通信装置が取り付けられる構造物の機械的振動に起因して通信回線の通信品質が劣化することを抑制可能な無線通信装置が開示されている。具体的には、アンテナが取り付けられる構造物の機械的振動に関連する品質指標に基づいて、例えば、変調スキーム若しくは符号化率又はこれら両方の無線通信パラメータを調整する。また、気象条件により通信回線は変化するが、その通信品質の変化に応じて、無線通信パラメータを調整する。しかしながら、特許文献１には、通信の障害の原因を特定することについては開示されていない。
【０００４】
特許文献２には、通信制御装置が、時系列に格納してある過去の降雨データおよびＣ／Ｎデータに基づき、転送データがユーザ端末に到着しなかった原因が降雨であると推定することが開示されている。しかしながら、通信の障害の発生原因が他にある場合については開示されていない。
【先行技術文献】
【特許文献】
【０００５】
【特許文献１】国際公開第２０１５／００８４４２号
【特許文献２】特開平１１−１２２１５５号公報
【発明の概要】
【発明が解決しようとする課題】
【０００６】
上述のように、ポイントツーポイントの無線通信において、通信に障害が発生した場合、通信の障害の原因を特定できない場合があるという問題がある。
【０００７】
本発明は、このような問題点を解決するためになされたものであり、通信に障害が発生した場合、障害の原因を特定することが可能な無線通信装置、方法及びプログラムを提供することを目的とする。
【課題を解決するための手段】
【０００８】
本発明に係る無線通信装置は、他の無線通信装置との間で無線通信を行う無線通信装置である。前記無線通信に影響を与える通信環境情報を取得する通信環境情報取得部と、前記無線通信の通信品質情報である前記他の無線通信装置の送信パワーレベルを取得する通信品質情報取得部と、前記通信品質情報に基づいて通信品質が所定値以下と判定した時刻に対応する前記通信環境情報を、通信の劣化の原因の究明のための原因解析用情報として記憶部に格納する制御部と、を備える。
【０００９】
本発明に係る方法は、無線通信に影響を与える通信環境情報を取得するステップと、前記無線通信の通信品質情報である前記他の無線通信装置の送信パワーレベルを取得するステップと、前記通信品質情報に基づいて通信品質が所定値以下と判定した時刻に対応する前記通信環境情報を、通信の劣化の原因の究明のための原因解析用情報として記憶部に格納するステップと、を備える。
【００１０】
本発明に係るプログラムは、無線通信に影響を与える通信環境情報を取得するステップと、前記無線通信の通信品質情報である前記他の無線通信装置の送信パワーレベルを取得するステップと、前記通信品質情報に基づいて通信品質が所定値以下と判定した時刻に対応する前記通信環境情報を、通信の劣化の原因の究明のための原因解析用情報として記憶部に格納するステップと、をコンピュータに実行させる。
【発明の効果】
【００１１】
本発明によれば、通信に障害が発生した場合、障害の原因を特定することが可能な無線通信装置、方法及びプログラムを提供することができる。
【図面の簡単な説明】
【００１２】
【図１】実施の形態１に係る無線通信装置を例示するブロック図である。
【図２】実施の形態１に係る無線通信装置を例示するブロック図である。
【図３】実施の形態１に係る無線通信装置の監視制御部の動作を例示するフローチャートである。
【図４】記憶部に保存される情報を例示する模式図である。
【図５】記憶部に保存される情報を例示する模式図である。
【図６】実施の形態１に係る無線通信システムを例示するブロック図である。
【図７】実施の形態１に係る無線通信システムを例示するブロック図である。
【図８】実施の形態１に係る無線通信システムを例示するブロック図である。
【図９】実施の形態１に係る無線通信システムを例示するブロック図である。
【図１０】実施の形態１に係る無線通信システムを例示するブロック図である。
【図１１】実施の形態１に係る無線通信システムを例示するブロック図である。
【図１２】実施の形態１に係る無線通信システムを例示するブロック図である。
【図１３】実施の形態１に係る無線通信システムを例示するブロック図である。
【発明を実施するための形態】
【００１３】
以下、図面を参照して本発明の実施の形態について説明する。各図面において、同一又は対応する要素には同一の符号が付されており、説明の明確化のため、必要に応じて重複説明を省略する。
【００１４】
［実施の形態１］
先ず、実施の形態１に係る無線通信装置１０の概要を説明する。
図１は、実施の形態１に係る無線通信装置を例示するブロック図である。
【００１５】
実施の形態１に係る無線通信装置１０は、他の無線通信装置２０との間でポイントツーポイントの無線通信を行う無線通信装置である。
図１に示すように、無線通信装置１０は、通信環境情報取得部１２２と通信品質情報取得部１２８と記憶部１２３ａと制御部１２５とを有する。通信環境情報取得部１２２は、無線通信に影響を与える通信環境情報を取得する。通信品質情報取得部１２８は、無線通信の通信品質情報を取得する。制御部１２５は、通信品質情報に基づいて通信品質が所定値α以下と判定した時刻ｔ１に対応する通信環境情報を、通信の劣化の原因の究明のための原因解析用情報として記憶部１２３ａに格納する。
【００１６】
実施の形態１に係る無線通信装置１０について詳細に説明する。
図２は、実施の形態１に係る無線通信装置を例示するブロック図である。
【００１７】
図２に示すように、実施の形態１に係る無線通信装置１０は、無線部１１０と監視制御部１２０とを有する。無線部１１０は、ユーザデータインタフェース部１１１とベースバンド部１１２とモデム部１１３とＲＦ部１１４とを含む。無線部１１０は、アンテナ１０ａと接続される。
【００１８】
ユーザデータインタフェース部１１１は、外部装置との間で下り及び上りのユーザデータをやり取りしてインタフェースする。なお、ユーザデータインタフェース部１１１からアンテナ１０ａに向かう方向を下りといい、アンテナ１０ａからユーザデータインタフェース部１１１に向かう方向を上りという。
【００１９】
ベースバンド部１１２は、下りにおいては、ユーザデータを無線形式の送信データに変換する処理を行い、上りにおいては、受信した無線形式のデータをユーザーデータに戻す処理を行う。
【００２０】
モデム部１１３は、下りにおいては、ベースバンド処理後のデータに対して変調処理及び中間周波数への変換を行い、上りにおいては、中間周波数に変換されたデータに対してベースバンド周波数への変換及び復調処理を行う。
【００２１】
ＲＦ部１１４は、下りにおいては、変調処理されたデータの周波数を中間周波数から無線周波数に変換し、上りにおいては、受信したデータの周波数を無線周波数から中間周波数に変換する。
【００２２】
アンテナ１０ａは、下りにおいては、無線周波数に変換されたデータを対向無線通信装置（他の無線通信装置）２０に向けて放射し、上りにおいては、無線周波数のデータを受信する。
【００２３】
無線部１１０のそれぞれの部位は、それぞれが故障検出機能を有する。すなわち、ユーザデータインタフェース部１１１とベースバンド部１１２とモデム部１１３とＲＦ部１１４のそれぞれは、それぞれが故障検出機能を有する。そして、それらの故障検出機能を使用して、自身が含まれる部位の故障を検出し、それを故障情報として制御部１２５に出力する。
【００２４】
ＲＦ部１１４は、送信データの送信パワーレベル測定機能と受信データの受信レベル測定機能とを有する。
【００２５】
ベースバンド部１１２は、上りの誤り訂正後のデータのビットエラー率を測定するビットエラー率測定機能を有する。なお、上りの誤り訂正後のデータのビットエラー率の代わりに、モデム部１１３が復調後のビットエラー率を測定し、これを用いてもよい。
【００２６】
ＲＦ部１１４は、送信パワーレベルを測定し、それを送信パワーレベル情報として出力する。また、ＲＦ部１１４は、受信レベルを測定し、それを受信レベル情報として出力する。ベースバンド部１１２は、ビットエラー率を測定し、それをビットエラー率情報として出力する。
【００２７】
送信パワーレベル情報と受信レベル情報とビットエラー率情報は、後述する通信品質情報取得部１２８に出力される。
【００２８】
監視制御部１２０は、通信環境情報取得部１２２と記憶部１２３ａと他の記憶部１２３ｂと制御部１２５と監視制御インタフェース部１２６と通信品質情報取得部１２８とを有する。通信環境情報取得部１２２は、センサ部１２２ａを有する。他の記憶部１２３ｂを記憶部１２３ｂと呼ぶこともある。
【００２９】
通信環境情報取得部１２２は、外部に設けられた撮影装置３０を使用して得られた対向無線通信装置２０との間の通信回線に関する監視情報を取得する。撮影装置３０は、例えば、ビデオカメラなどであり、アンテナ１０ａの指向性方向を撮影して映像情報などの監視情報を得る。通信環境情報取得部１２２のセンサ部１２２ａは、無線通信装置１０の周辺情報をセンサを使用して取得する。周辺情報は、振動、衝撃、温度、気温、及び降雨に関する情報の少なくともいずれかを含む情報である。通信環境情報取得部１２２は、これらの監視情報と周辺情報とを制御部１２５に出力する。なお、監視情報と周辺情報とを通信環境情報と呼ぶ。すなわち、通信環境情報は、振動、衝撃、温度、気温及び降雨に関する情報、並びに無線通信の通信回線の監視情報の少なくともいずれかを含む。
【００３０】
記憶部１２３ａは、例えば、不揮発性の記憶媒体である。記憶部１２３ａには、障害の発生原因を解析するための原因解析用情報が保存される。すなわち、記憶部１２３ａには、通信の劣化の原因の究明のための原因解析用情報が保存される。記憶部１２３ａは、例えば、フラッシュメモリであり、情報の長期保存が可能である。記憶部１２３ｂは、例えば、揮発性の記憶媒体である。記憶部１２３ｂには、撮影装置３０により得られた映像情報などの監視情報と、センサ部１２２ａにより取得された周辺情報の全ての情報が一時的に保存される。よって、記憶部１２３ｂに保存される情報量は、記憶部１２３ａに保存される情報量よりも多い。監視制御インタフェース部１２６は、無線通信装置１０と外部に設けられた監視装置５０と接続する。
【００３１】
通信品質情報取得部１２８は、送信パワーレベル情報と受信レベル情報とビットエラー率情報とを取得する。送信パワーレベル情報と受信レベル情報とビットエラー率情報は、通信回線の通信品質情報である。通信品質情報取得部１２８は、通信品質情報を制御部１２５に出力する。
【００３２】
制御部１２５は、例えば、ＣＰＵ(Central Processing Unit)を有し、無線通信装置１０全体の制御を行う。制御部１２５は、通信品質情報取得部１２８から出力されるビットエラー率などの通信の通信品質情報、無線部１１０から出力される各部位の故障情報、撮影装置３０から出力される映像情報などの監視情報、及びセンサ部１２２ａから出力される振動、衝撃、温度、気温、降雨などの周辺情報を管理する。制御部１２５は、通信品質情報に基づいて障害の発生及び前記障害の復旧を判定する。
【００３３】
通信品質情報が、例えば、ビットエラー率やパケットエラー率などのエラー率の場合であってエラー率が所定値β以上の場合、制御部１２５は、障害が発生したと判定し、所定値β未満の場合、障害が復旧したと判定する。また、通信品質情報が、例えば、受信レベルであって受信レベルが所定値γ以下の場合、制御部１２５は、障害が発生したと判定し、所定値γよりも大きい場合、障害が復旧したと判定する。また、通信品質情報は、信号対雑音比や信号対干渉波比などでもよい。通信品質情報は、送信パワーレベル、受信レベル、エラー率、信号対雑音比及び信号対干渉波比の少なくともいずれかを含む。また、制御部１２５は、時計を有し、ポイントツーポイントで通信を行う場合に、対向する対向無線通信装置２０との間で時刻を同期させることができる。
【００３４】
実施の形態１に係る無線通信装置１０の動作について説明する。
【００３５】
無線部１１０の下り方向の動作について説明する。
ユーザからの伝送すべき情報であるユーザデータが、ユーザデータインタフェース部１１１に入力された後、ベースバンド部１１２に出力される。
【００３６】
ベースバンド部１１２は、ユーザデータを無線形式の送信データに変換するため、無線データ同期用の同期情報、及び誤り訂正情報をユーザデータに付加する。また、ベースバンド部１１２は、通信の相手方である対向無線通信装置２０に送信するため、無線通信装置１０の監視情報と周辺情報と通信品質情報と故障情報などをユーザデータに付加する。その後、ユーザデータはベースバンド処理が行われ、モデム部１１３に出力される。
【００３７】
モデム部１１３は、ユーザデータに対して変調処理及び中間周波数への変換を行った後、ユーザデータをＲＦ部１１４に出力する。
【００３８】
ＲＦ部１１４は、ユーザデータの周波数を中間周波数から無線周波数に変換し、送信出力制御を行い、アンテナ１０ａに出力する。ユーザデータはアンテナ１０ａから対向無線通信装置２０に向けて放射される。また、ＲＦ部１１４は、ユーザデータの送信パワーレベルを送信パワーレベル情報として通信品質情報取得部１２８を介して制御部１２５に出力する。
【００３９】
無線部１１０の上り方向の動作について説明する。
アンテナ１０ａで受信された無線周波数の受信データは、ＲＦ部１１４に出力される。
【００４０】
ＲＦ部１１４は、受信データの周波数を無線周波数から中間周波数に変換し、モデム部１１３に出力する。また、ＲＦ部１１４は、受信データの受信レベルを受信レベル情報として通信品質情報取得部１２８を介して制御部１２５に出力する。
【００４１】
モデム部１１３は、受信データの周波数を中間周波数からベースバンド信号に変換し、受信データに対して復調処理を行い、受信データをベースバンド部１１２に出力する。
【００４２】
ベースバンド部１１２は、受信データに対して誤り訂正の処理とビットエラー率を求めるための演算を行う。ベースバンド部１１２は、通信の相手方（送信側）で付加した監視情報と周辺情報と通信品質情報と故障情報などの障害情報を分離し、ユーザデータに戻す処理を行う。ベースバンド部１１２は、この演算により求めたビットエラー率をビットエラー率情報として通信品質情報取得部１２８を介して制御部１２５に出力する。また、ベースバンド部１１２は、通信の相手方である対向無線通信装置２０から送信された対向無線通信装置２０の障害情報を制御部１２５に出力する。
【００４３】
ユーザデータは、ユーザデータインタフェース部１１１を経由してユーザに出力される。
【００４４】
無線部１１０のそれぞれの部位で検出された故障情報は、制御部１２５に出力される。
【００４５】
次に、監視制御部１２０の動作について説明する。
図３は、実施の形態１に係る無線通信装置の監視制御部の動作を例示するフローチャートである。
【００４６】
図３に示すように、通信環境情報取得部１２２のセンサ部１２２ａは、振動、衝撃、温度、気温、降雨などの周辺環境に関する周辺情報をセンサを使用して取得する。通信環境情報取得部１２２は、外部の撮影装置３０により取得された通信回線に関する監視情報を取得する。監視情報は、例えば、ビデオカメラなどの撮影装置３０を使用して、アンテナ１０ａの指向性方向の映像情報を監視情報として取得される。周辺情報と監視情報とが含まれる情報を通信環境情報と呼ぶ。すなわち、通信環境情報取得部１２２は、無線通信に影響を与える通信環境情報を取得する（ステップＳ１０１）。そして、通信環境情報取得部１２２は、通信環境情報を制御部１２５に出力する。
【００４７】
通信品質情報取得部１２８は、通信の相手方との通信回線に関する通信品質情報と、無線通信装置１０の故障に関する故障情報と、を取得する（ステップＳ１０２）。なお、故障情報とは、無線部１１０の各部位の故障に関する情報のことである。通信品質情報とは、例えば、送信パワーレベル情報と受信レベル情報とビットエラー率情報などのことである。
【００４８】
制御部１２５は、現在時刻を含む過去からの時系列ごとの監視情報と周辺情報と通信品質情報と故障情報とを記憶部１２３ｂに一時的に保存する。すなわち、制御部１２５は、時間情報と監視情報と周辺情報と通信品質情報と故障情報とを相互に関連付けて記憶部１２３ｂに一時的に保存する（ステップＳ１０３）。
【００４９】
制御部１２５は、通信品質情報に基づいて通信品質が所定値α以下と判定した時刻、又は、故障情報を検出した時刻に対応する通信環境情報と該時刻に対応する通信品質情報とを、通信の劣化の原因の究明のための原因解析用情報として記憶部１２３ａに格納する（ステップＳ１０４）。通信品質が所定値α以下と判定した時刻、又は、故障情報を検出した時刻を時刻ｔ１とする。
【００５０】
制御部１２５は、通信品質情報に基づいて通信品質が所定値αよりも大きいと判定した時刻、又は、故障情報を検出した後に故障が復旧した時刻に対応する通信環境情報と該時刻に対応する通信品質情報とを、通信の復旧の原因の究明のための原因解析用情報として記憶部１２３ａに格納する（ステップＳ１０５）。通信品質が所定値αよりも大きいと判定した時刻、又は、故障情報を検出した後に故障が復旧した時刻を時刻ｔ２とする。
【００５１】
なお、この例では、障害の発生時刻は、例えば、通信品質情報に基づいて通信品質が所定値α以下と判定した時刻、又は、故障情報を検出した時刻とし、その時刻を時刻ｔ１としている。また、障害の復旧時刻は、例えば、通信品質情報に基づいて通信品質が所定値αよりも大きいと判定した時刻、又は、故障情報を検出した後に故障が復旧した時刻とし、その時刻を時刻ｔ２としている。
【００５２】
また、以下の説明では、説明を簡単にするため、時刻ｔ１を所定値α以下と判定した時刻として説明する場合がある。また、時刻ｔ２を所定値αよりも大きいと判定した時刻として説明する場合がある。
【００５３】
また、制御部１２５は、対向無線通信装置２０から通信品質情報取得部１２８を介して制御部１２５に入力された対向無線通信装置２０の障害情報（他の障害情報）と他の障害の発生時刻ｔ１１とを関連付けて記憶部１２３ｂに一時的に保存する。
【００５４】
また、制御部１２５は、対向無線通信装置２０の他の障害情報と他の障害の復旧時刻ｔ２１とを関連付けて記憶部１２３ｂに一時的に保存する。この例では、他の障害の発生時刻は、例えば、通信品質情報に基づいて通信品質が所定値α１以下と判定した時刻ｔ１１としている。また、他の障害の復旧時刻は、例えば、通信品質情報に基づいて通信品質が所定値α１よりも大きいと判定した時刻ｔ２１としている。
【００５５】
また、対向無線通信装置２０は、自身でも通信品質情報を取得する。対向無線通信装置２０は、自身が取得した通信品質情報に基づいて通信品質が所定値α１以下と判定した時刻ｔ１１に対応する通信環境情報を、原因解析用情報として後述する記憶部２２３ａに格納する。そして、対向無線通信装置２０は、時刻ｔ１１を無線通信装置１０に通知する。対向無線通信装置２０により通信品質が所定値α１以下と判定された時刻ｔ１１が対向無線通信装置２０から通知された場合、無線通信装置１０の制御部１２５は、対向無線通信装置２０により判定された時刻ｔ１１に対応する通信環境情報を、記憶部１２３ａに格納する。
【００５６】
また、制御部１２５は、外部に設けられた監視装置５０とのインタフェースを監視制御インタフェース部１２６を介して行う。
【００５７】
図４は、記憶部に保存される情報を例示する模式図である。
図５は、記憶部に保存される情報を例示する模式図である。
【００５８】
図４及び図５に示すように、記憶部１２３ｂは、領域１２３ｂ１〜１２３ｂ５を含む。
【００５９】
映像情報や送信パワーレベル情報や受信レベル情報などの各種の情報は、時間の経過と共に、記憶部１２３ｂの保存可能領域に保存される。映像情報は、例えば、時間の経過と共に、記憶部１２３ｂの領域１２３ｂ５に保存される。記憶部１２３ｂの保存可能領域は有限であるため、記憶部１２３ｂの空き領域が無くなると最初に保存した領域に戻り、上書き形式で保存される。記憶部１２３ｂは、例えば、リングバッファとして動作する。
【００６０】
なお、領域１２３ｂ１は、故障情報が保存される領域を示し、領域１２３ｂ２は、周辺情報が保存される領域を示し、領域１２３ｂ３は、ビットエラー率情報が保存される領域を示し、領域１２３ｂ４は、送信パワーレベル情報及び受信レベル情報が保存される領域を示し、領域１２３ｂ５は、映像情報が保存される領域を示す。
【００６１】
図５においては、時刻ｔ１において障害が発生し、時刻ｔ２において障害が復旧したことを示す。障害の発生時刻ｔ１と障害の復旧時刻ｔ２のそれぞれの時刻を含む前Δｔ時間と後ろΔｔ時間分の情報は、原因解析用情報として記憶部１２３ａに記憶される。制御部１２５は、障害の発生時刻ｔ１を含む所定の時間２Δｔの監視情報と周辺情報と通信品質情報と故障情報とを含む障害情報を、記憶部１２３ｂとは異なる記憶部１２３ａに保存し、障害の復旧時刻ｔ２を含む所定の時間２Δｔの障害情報を記憶部１２３ａに記憶する。すなわち、制御部１２５は、通信品質情報に基づいて通信品質が所定値α以下と判定した時刻ｔ１を含む所定の時間２Δｔに対応する通信環境情報を、記憶部１２３ａに格納する。
【００６２】
制御部１２５は、例えば、ビットエラー率が増加した場合、障害が発生したと判定し、ビットエラー率が低下した場合、障害が復旧したと判定する。制御部１２５は、無線通信装置１０の障害の発生及び障害の復旧を検出した場合、通信の相手方である対向無線通信装置２０と無線通信装置１０を監視する監視装置５０に対して、障害の発生及び障害の復旧に関するイベント情報を通知する。すなわち、制御部１２５は、通信品質情報に基づいて通信品質が所定値α以下と判定した時刻である障害の発生時刻ｔ１と、発生した障害の内容と、障害の復旧時刻ｔ２と、復旧した復旧の内容とを、通信の相手方である対向無線通信装置２０に通知する。障害の内容は、イベント情報を含む。また、障害の内容は、例えば、無線通信装置１０の監視情報、周辺情報、通信品質情報、故障情報などの障害情報の一部の内容であってもよい。また、障害の内容は、ユーザが障害発生及び障害復旧の原因を容易に特定できるように、無線通信装置１０の障害情報を加工した内容であってもよい。
【００６３】
また、制御部１２５は、障害の発生時刻ｔ１の前後のそれぞれΔｔ時間分の情報を、記憶部１２３ｂから記憶部１２３ａに移動して保存する。この情報は、障害の発生原因を解析するために使用される。障害原因解析用に記憶部１２３ａに保存された原因解析用情報の量は、記憶部１２３ｂに保存された情報の量と比べて少ないので、ユーザは障害発生及び障害復旧の原因を容易に特定できる。
【００６４】
また、無線通信装置１０は、対向無線通信装置２０から対向無線通信装置２０の障害の発生及び障害の復旧に関するイベント情報を通知された場合、監視装置５０に対して、対向無線通信装置２０の障害の発生に関するイベント情報を通知する。また、無線通信装置１０は、それと共に、障害の発生時刻ｔ１の前後それぞれΔｔ時間分の情報を、記憶部１２３ｂから記憶部１２３ａに移動して保存する。
【００６５】
対向無線通信装置２０の障害の発生原因が、無線通信装置１０に有る場合も考えられる。例えば、無線通信装置１０の送信パワーレベルが低下し、対向無線通信装置２０の受信レベルが低下して障害が発生する場合である。そこで、対向無線通信装置２０から対向無線通信装置２０の障害の発生及び障害の復旧に関するイベント情報を通知された場合、無線通信装置１０は、障害の発生時刻ｔ１の前後それぞれΔｔ時間分の情報を、原因解析用情報として記憶部１２３ｂから記憶部１２３ａに移動して保存し、原因解析用情報を障害の発生原因を解析するために使用する。
【００６６】
すなわち、通信の相手方である対向無線通信装置２０から対向無線通信装置２０が検出した他の障害の発生時刻ｔ１１が通知された場合、制御部１２５は、他の障害の発生時刻ｔ１１を含む所定の時間２Δｔ１の無線通信装置１０の監視情報と周辺情報と通信品質情報と故障情報とを含む他の障害情報を記憶部１２３ａに記憶する。また、対向無線通信装置２０から他の障害の復旧時刻ｔ２１が通知された場合、制御部１２５は、他の障害の復旧時刻ｔ２１を含む所定の時間２Δｔ１の無線通信装置１０の他の障害情報を記憶部１２３ａに記憶する。
【００６７】
無線通信装置１０は、障害の発生時刻ｔ１の前後それぞれΔｔ時間分の原因解析用情報の保存が完了したら、監視装置５０に保存完了の通知を行う。記憶部１２３ａに保存された原因解析用情報は、監視装置５０より監視制御インタフェース部１２６を介して取り出され、ネットワーク管理者により解析される。
【００６８】
なお、障害の発生時刻ｔ１及び障害の復旧時刻ｔ２よりもそれらの情報が遅れて通知された場合でも障害情報を使用可能とするために、記憶部１２３ｂの保存可能領域の容量は、ある程度大きいことが望ましい。
【００６９】
また、障害の発生原因を解析するための原因解析用情報は、記憶部１２３ａに保存されるため、無線通信装置１０の電源供給がされなくなった場合でも、取り出すことができる。
【００７０】
また、記憶部１２３ａの保存可能領域は大きくすることで複数回分の原因解析用情報が保存可能となる。
【００７１】
また、障害の発生時刻ｔ１の前後それぞれΔｔ時間の値は、原因解析に有効となる時間範囲として、ユーザが設定できる。
【００７２】
次に、無線通信装置１０と対向無線通信装置２０との間の通信回線の下り方向の回線Ｌ１において障害が発生した場合の例について説明する。
図６は、実施の形態１に係る無線通信システムを例示するブロック図である。
図７は、実施の形態１に係る無線通信システムを例示するブロック図である。
【００７３】
図６（Ａ）に示すように、実施の形態１に係る無線通信システムは、無線通信装置１０とポイントツーポイントで対向して通信可能な対向無線通信装置２０と複数の無線通信装置を監視制御する監視装置５０とを備える。
【００７４】
無線通信装置１０と対向無線通信装置２０は、下りの回線Ｌ１の無線周波数として周波数ｆ１を使用し、上りの回線Ｌ２の無線周波数として周波数ｆ２を使用する。すなわち、この例では、無線通信装置１０は、送信と受信とで相互に異なる周波数を使用するＦＤＤ(Frequency Division Duplex)方式を採用する。なお、対向無線通信装置２０は、前述の図２の無線通信装置１０と同様な装置である。
【００７５】
監視装置５０は、無線通信装置１０の監視制御インタフェース部１２６と直接に接続され、無線通信装置１０を直接に監視し制御する。また、監視装置５０は、回線Ｌ１及び回線Ｌ２を使用した対向無線通信により無線通信装置１０を介して遠隔で対向無線通信装置２０を監視し制御する。
【００７６】
図６（Ａ）は、正常な場合の無線通信システムを示す。
図６（Ｂ）、図６（Ｃ）及び図７（Ａ）〜図７（Ｃ）は、下りの回線Ｌ１において通信回線の障害が発生した場合の無線通信システムの動作を示す。この動作は、図６（Ａ）、図６（Ｂ）、図６（Ｃ）、図７（Ａ）、図７（Ｂ）、図７（Ｃ）の順に行われる。
【００７７】
図６（Ｂ）に示すように、下りの回線Ｌ１において通信回線の障害が発生した場合、対向無線通信装置２０は回線Ｌ１の障害の発生を検出して障害検出状態となる。そして、対向無線通信装置２０は、無線通信装置１０と監視装置５０に対して、対向無線通信装置２０が検出した回線Ｌ１の障害の発生に関するイベント情報と障害の発生時刻ｔ１とを通知する。なお、障害の発生に関するイベント情報だけでなく、例えば、対向無線通信装置２０の監視情報、周辺情報、通信品質情報、故障情報などの障害情報の一部の内容を通知してもよい。
【００７８】
次に、図６（Ｃ）に示すように、対向無線通信装置２０は、回線Ｌ１の障害の発生時刻ｔ１の前後それぞれΔｔ時間分であって記憶部２２３ｂに保存されている監視情報と周辺情報と通信品質情報と故障情報とを含む障害情報を、回線Ｌ１の障害の発生の原因解析用情報として記憶部２２３ａに保存する。対向無線通信装置２０は、障害情報の保存中は、原因解析用情報保存中状態となる。また、対向無線通信装置２０から回線Ｌ１の障害の発生に関するイベント情報と障害の発生時刻ｔ１とを通知された無線通信装置１０は、障害検出状態となり、監視装置５０に対して回線Ｌ１の障害の発生に関するイベント情報と障害の発生時刻ｔ１とを通知する。なお、記憶部２２３ａは、例えば、不揮発性の記憶媒体である。記憶部２２３ｂは、例えば、揮発性の記憶媒体である。なお、記憶部２２３ｂを他の記憶部２２３ｂと呼ぶこともある。
【００７９】
次に、図７（Ａ）に示すように、対向無線通信装置２０は、原因解析用情報の記憶部２２３ａへの保存が完了し原因解析用情報保存完了状態となると、監視装置５０に対して、回線Ｌ２と無線通信装置１０とを介して、原因解析用情報の保存完了の通知を行う。また、並行して無線通信装置１０は、対向無線通信装置２０と同様に、対向無線通信装置２０から通知された障害の発生時刻ｔ１に基づいて、回線Ｌ１の障害の発生時刻ｔ１の前後それぞれΔｔ時間分であって自装置内の記憶部１２３ｂに保存されている障害情報を、回線Ｌ１の障害の発生の原因解析用情報として記憶部１２３ａに保存する。無線通信装置１０は、障害情報の保存中は、原因解析用情報保存中状態となる。
【００８０】
次に、図７（Ｂ）に示すように、無線通信装置１０は、原因解析用情報の記憶部１２３ａへの保存が完了して原因解析用情報保存完了状態となると、監視装置５０に対して原因解析用情報の保存完了の通知を行う。また、対向無線通信装置２０は、障害検出状態となる。
【００８１】
次に、図７（Ｃ）に示すように、無線通信装置１０と対向無線通信装置２０のそれぞれは、原因解析用情報の取得を完了する。無線通信装置１０と対向無線通信装置２０のそれぞれは、回線Ｌ１の障害が復旧（解消）するまでの間、障害検出状態となる。
【００８２】
次に、例えば、ネットワーク管理者などのユーザは、監視装置５０を使用し、回線Ｌ１という一つの回線の障害について、無線通信装置１０と対向無線通信装置２０とに対して確認を行う。すなわち、ユーザは、監視装置５０を使用して、無線通信装置１０が原因解析用情報の保存を完了したことと対向無線通信装置２０が原因解析用情報の保存を完了したことを確認する。その後、ユーザは、任意のタイミングで記憶部１２３ａと記憶部２２３ａからそれぞれに保存された原因解析用情報を取得し解析を行い、回線Ｌ１の障害の発生原因の特定を行う。
【００８３】
なお、回線Ｌ１が障害となっている場合、ユーザは、回線Ｌ１を介して対向無線通信装置２０の記憶部２２３ａに保存された原因解析用情報を取得できない。この場合は、ユーザは、回線Ｌ１の復旧後に、回線Ｌ１を介して対向無線通信装置２０の記憶部２２３ａに保存された原因解析用情報を取得する、又は、対向無線通信装置２０にＰＣ(Personal Computer)等を直接接続して記憶部２２３ａに保存された原因解析用情報を取得する。
【００８４】
このように、無線通信装置１０と対向無線通信装置２０との２つの無線通信装置の情報を確認するため、原因解析の精度を向上させることができる。
【００８５】
また、ネットワーク管理者は、例えば、下記の様にして回線の障害の発生の原因を容易に特定することができる。
【００８６】
ユーザは、障害が発生した場合、例えば、不揮発性記憶部である記憶部１２３ａに記憶された障害情報を確認する。そして、ビットエラー率などの通信品質情報が劣化しているのと同時刻付近いおいて、無線通信装置１０の故障情報が故障有を示していることを確認した場合、ユーザは、障害発生の原因は無線通信装置１０の故障であるとすることができる。すなわち、ユーザは、故障情報により無線通信装置１０の故障が確認できた場合、障害発生の原因を無線通信装置１０の故障であると特定することができる。また、通信品質情報の劣化と無線通信装置１０の故障情報との間に相関関係がみられる場合も、ユーザは、障害発生の原因は無線通信装置１０の故障であるとすることができる。
【００８７】
また、ユーザは、降雨量の増加と共に通信品質情報が劣化したことを確認した場合、障害発生の原因は降雨であるとすることができる。なお、降雨は、降雨センサにより確認してもよいしビデオカメラにより映像で確認してもよい。
【００８８】
また、ユーザは、振動の発生と共に通信品質情報が劣化したことを確認した場合、障害発生の原因は、振動であるとすることができる。振動は、振動センサにより確認してもよいしビデオカメラにより映像で揺れを確認してもよい。
【００８９】
また、ユーザは、通信品質情報が急激に劣化したことを確認した場合、映像情報などを確認し、通信回線に鳥、小型機、大型トレーラーなどの障害物がないかどうかを確認する。何等かの障害物があれば、ユーザは、障害発生の原因はこれらの障害物により回線が遮断されたことであるとすることができる。すなわち、ユーザは、監視情報により通信回線を遮断する遮蔽物が確認できた場合、障害発生の原因を前記遮蔽物によるものであると特定することができる。
【００９０】
次に、回線Ｌ１の障害が復旧した場合の例について説明する。
図８は、実施の形態１に係る無線通信システムを例示するブロック図である。
図９は、実施の形態１に係る無線通信システムを例示するブロック図である。
【００９１】
動作は、図８（Ａ）、図８（Ｂ）、図８（Ｃ）、図９（Ａ）、図９（Ｂ）、図９（Ｃ）の順に行われる。
【００９２】
図８（Ａ）は、回線Ｌ１において障害が継続している状態を示す。
次に、図８（Ｂ）に示すように、回線Ｌ１において障害が復旧すると、対向無線通信装置２０は、回線Ｌ１の障害が復旧したことを検出する。そして、対向無線通信装置２０は、無線通信装置１０と監視装置５０に対して、回線Ｌ１の障害の復旧に関するイベント情報と障害の復旧時刻ｔ２とを通知する。対向無線通信装置２０は、正常状態（復旧状態）となる。無線通信装置１０は、障害検出状態のままである。なお、障害の復旧に関するイベント情報だけでなく、例えば、対向無線通信装置２０の監視情報、周辺情報、通信品質情報、故障情報などの障害情報の一部の内容を通知してもよい。
【００９３】
次に、図８（Ｃ）に示すように、対向無線通信装置２０は、回線Ｌ１の障害の復旧時刻ｔ２の前後それぞれΔｔ時間分であって記憶部２２３ｂに保存されている障害情報を、回線Ｌ１の障害の復旧の原因解析用情報として記憶部２２３ａに保存する。対向無線通信装置２０は、原因解析用情報保存中となる。また、対向無線通信装置２０から回線Ｌ１の障害の復旧に関するイベント情報と障害の復旧時刻ｔ２とを通知された無線通信装置１０は、復旧状態（正常状態）となり、監視装置５０に対して回線Ｌ１の障害の復旧に関するイベント情報と障害の復旧時刻ｔ２とを通知する。
【００９４】
次に、図９（Ａ）に示すように、対向無線通信装置２０は、原因解析用情報の記憶部２２３ａへの保存が完了して原因解析用情報保存完了状態となると、監視装置５０に対して、回線Ｌ２と無線通信装置１０とを介して、原因解析用情報の保存完了の通知を行う。また、並行して無線通信装置１０は、対向無線通信装置２０と同様に、通知された障害の復旧時刻ｔ２に基づいて、回線Ｌ１の障害の復旧時刻ｔ２の前後それぞれΔｔ時間分であって自装置内の記憶部１２３ｂに保存されている障害情報を、回線Ｌ１の復旧の原因解析用情報として記憶部１２３ａに保存する。無線通信装置１０は、原因解析用情報保存中状態となる。
【００９５】
次に、図９（Ｂ）に示すように、無線通信装置１０は、原因解析用情報の記憶部１２３ａへの保存が完了して原因解析用情報保存完了状態となると、監視装置５０に対して原因解析用情報の保存完了の通知を行う。対向無線通信装置２０は、復旧状態（正常状態）となる。
【００９６】
次に、図９（Ｃ）に示すように、無線通信装置１０は、原因解析用情報の保存を完了した後、正常状態となる。
【００９７】
次に、ユーザは、監視装置５０を使用し、回線Ｌ１という一つの回線の復旧について、無線通信装置１０と対向無線通信装置２０とに対して確認を行う。すなわち、ユーザは、監視装置５０を使用して、無線通信装置１０が原因解析用情報の保存を完了したことと対向無線通信装置２０が原因解析用情報の保存を完了したことを確認する。その後、ユーザは、任意のタイミングで記憶部１２３ａと記憶部２２３ａからそれぞれに保存された原因解析用情報を取得し解析を行い、回線Ｌ１の障害の復旧原因の特定を行う。
【００９８】
次に、無線通信装置１０と対向無線通信装置２０との間の通信回線の上り方向の回線Ｌ２において障害が発生した場合の例について説明する。
図１０は、実施の形態１に係る無線通信システムを例示するブロック図である。
図１１は、実施の形態１に係る無線通信システムを例示するブロック図である。
【００９９】
図１０（Ａ）は、正常な場合の無線通信システムを示す。
図１０（Ｂ）、図１０（Ｃ）及び図１１（Ａ）〜図１１（Ｃ）は、上りの回線Ｌ２において通信回線の障害が発生した場合の無線通信システムの動作を示す。この動作は、図１０（Ａ）、図１０（Ｂ）、図１０（Ｃ）、図１１（Ａ）、図１１（Ｂ）、図１１（Ｃ）の順に行われる。
【０１００】
図１０（Ｂ）に示すように、上りの回線Ｌ２において通信回線の障害が発生した場合、無線通信装置１０は回線Ｌ２の障害の発生を検出して障害検出状態となる。そして、無線通信装置１０は、対向無線通信装置２０と監視装置５０に対して、無線通信装置１０が検出した回線Ｌ２の障害の発生に関するイベント情報と障害の発生時刻ｔ１とを通知する。なお、障害の発生に関するイベント情報だけでなく、例えば、無線通信装置１０の監視情報、周辺情報、通信品質情報、故障情報などの障害情報の一部の内容を通知してもよい。
【０１０１】
次に、図１０（Ｃ）に示すように、無線通信装置１０は、回線Ｌ２の障害の発生時刻ｔ１の前後それぞれΔｔ時間分であって記憶部１２３ｂに保存されている監視情報と周辺情報と通信品質情報と故障情報とを含む障害情報を、回線Ｌ２の障害の発生の原因解析用情報として記憶部１２３ａに保存する。無線通信装置１０は、障害情報の保存中は、原因解析用情報保存中状態となる。また、無線通信装置１０から回線Ｌ２の障害の発生に関するイベント情報と障害の発生時刻ｔ１とを通知された対向無線通信装置２０は、障害検出状態となる。対向無線通信装置２０は、監視装置５０に対して回線Ｌ２の障害の発生に関するイベント情報と障害の発生時刻ｔ１とを通知する動作を行うが、回線Ｌ２に障害が発生しているのでイベント情報と障害の発生時刻ｔ１は届かない。
【０１０２】
次に、図１１（Ａ）に示すように、無線通信装置１０は、原因解析用情報の記憶部１２３ａへの保存が完了し原因解析用情報保存完了状態となると、監視装置５０に対して、原因解析用情報の保存完了の通知を行う。また、並行して、対向無線通信装置２０は、無線通信装置１０と同様に、無線通信装置１０から通知された障害の発生時刻ｔ１に基づいて、回線Ｌ２の障害の発生時刻ｔ１の前後それぞれΔｔ時間分であって自装置内の記憶部２２３ｂに保存されている障害情報を、回線Ｌ２の障害の発生の原因解析用情報として記憶部２２３ａに保存する。対向無線通信装置２０は、障害情報の保存中は、原因解析用情報保存中状態となる。
【０１０３】
次に、図１１（Ｂ）に示すように、対向無線通信装置２０は、原因解析用情報の記憶部２２３ａへの保存が完了して原因解析用情報保存完了状態となる。対向無線通信装置２０は、監視装置５０に対して、回線Ｌ２と無線通信装置１０を介して、原因解析用情報の保存完了を通知する動作を行うが、回線Ｌ２に障害が発生しているので保存完了の通知は届かない。
【０１０４】
次に、図１１（Ｃ）に示すように、無線通信装置１０と対向無線通信装置２０のそれぞれは、原因解析用情報の取得を完了する。無線通信装置１０と対向無線通信装置２０のそれぞれは、回線Ｌ２の障害が復旧（解消）するまでの間、障害検出状態となる。
【０１０５】
次に、ユーザーは、監視装置５０を使用し、無線通信装置１０からの通知により、原因解析用情報の記憶部１２３ａへの保存が完了していることを確認する。このとき、ユーザは、回線Ｌ２に障害が発生しているため、対向無線通信装置２０の原因解析用情報の保存完了は確認できない。しかし、ユーザは、無線通信装置１０と対向無線通信装置２０との間の通信回線で障害が発生したことは確認できるため、任意のタイミングで無線通信装置１０と対向無線通信装置２０から原因解析用情報を取得して、回線Ｌ２の障害の発生原因の特定を行うことができる。
【０１０６】
なお、ユーザは、回線Ｌ２の障害の復旧後に、対向無線通信装置２０の記憶部２２３ａに保存されている原因解析用報を、監視装置５０から無線通信装置１０と回線Ｌ２を介して取得してもよい。また、ユーザは、対向無線通信装置２０にＰＣ等を直接接続して記憶部２２３ａに保存されている原因解析用報を取得してもよい。
【０１０７】
次に、回線Ｌ２の障害が復旧した場合の例について説明する。
図１２は、実施の形態１に係る無線通信システムを例示するブロック図である。
図１３は、実施の形態１に係る無線通信システムを例示するブロック図である。
【０１０８】
動作は、図１２（Ａ）、図１２（Ｂ）、図１２（Ｃ）、図１３（Ａ）、図１３（Ｂ）、図１３（Ｃ）の順に行われる。
【０１０９】
図１２（Ａ）は、回線Ｌ２において障害が継続している状態を示す。
次に、図１２（Ｂ）に示すように、回線Ｌ２において障害が復旧（解消）すると、無線通信装置１０は、回線Ｌ２の障害が復旧したことを検出する。そして、無線通信装置１０は、対向無線通信装置２０と監視装置５０に対して、回線Ｌ２の障害の復旧に関するイベント情報と障害の復旧時刻ｔ２とを通知する。無線通信装置１０は、正常状態（復旧状態）となる。対向無線通信装置２０は、障害検出状態のままである。
【０１１０】
次に、図１２（Ｃ）に示すように、無線通信装置１０は、回線Ｌ２の障害の復旧時刻ｔ２の前後それぞれΔｔ時間分であって記憶部１２３ｂに保存されている障害情報を、回線Ｌ２の障害の復旧の原因解析用情報として記憶部１２３ａに保存する。無線通信装置１０は、原因解析用情報保存中となる。また、並行して、無線通信装置１０から回線Ｌ２の障害の復旧に関するイベント情報と障害の復旧時刻ｔ２とを通知された対向無線通信装置２０は、復旧状態（正常状態）となり、監視装置５０に対して回線Ｌ２の障害の復旧に関するイベント情報と障害の復旧時刻ｔ２とを回線Ｌ２と無線通信装置１０の監視制御インタフェース部１２６を介して通知する。
【０１１１】
次に、図１３（Ａ）に示すように、無線通信装置１０は、原因解析用情報の記憶部１２３ａへの保存が完了して原因解析用情報保存完了状態となると、監視装置５０に対して、原因解析用情報の保存完了の通知を行う。また、並行して、対向無線通信装置２０は、無線通信装置１０と同様に、通知された障害の復旧時刻ｔ２に基づいて、回線Ｌ２の障害の復旧時刻ｔ２の前後それぞれΔｔ時間分であって自装置内の記憶部２２３ｂに保存されている障害情報を、回線Ｌ２の復旧の原因解析用情報として記憶部２２３ａに保存する。対向無線通信装置２０は、原因解析用情報保存中状態となる。
【０１１２】
次に、図１３（Ｂ）に示すように、対向無線通信装置２０は、原因解析用情報の記憶部２２３ａへの保存が完了して原因解析用情報保存完了状態となると、監視装置５０に対して原因解析用情報の保存完了の通知を、回線Ｌ２と無線通信装置１０の監視制御インタフェース部１２６を介して行う。無線通信装置１０は、復旧状態（正常状態）となる。
【０１１３】
次に、図１３（Ｃ）に示すように、対向無線通信装置２０は、原因解析用情報の保存を完了した後、正常状態となる。
【０１１４】
次に、ユーザは、監視装置５０を使用し、回線Ｌ２という一つの回線の復旧について、対向無線通信装置２０と無線通信装置１０とに対して確認を行う。すなわち、ユーザは、監視装置５０を使用して、対向無線通信装置２０が原因解析用情報の保存を完了したことと無線通信装置１０が原因解析用情報の保存を完了したことを確認する。その後、ユーザは、任意のタイミングで記憶部１２３ａと記憶部２２３ａから、それぞれに保存された原因解析用情報を取得し解析を行い、回線Ｌ２の障害の復旧原因の特定を行う。
【０１１５】
実施の形態１においては、ビデオカメラなどの撮影装置３０を使用して取得した監視情報と、センサにより取得した周辺情報と、通信回線に関する通信品質情報と、無線通信装置の故障情報と、を使用して障害の発生と復旧を判定している。そして、障害発生時と障害復旧時において、無線通信装置の外部環境（周辺情報）が容易に把握できる。これにより、外部要因である降雨、暴風、雷害などの自然現象やいたずらなどの人的災害によって引き起こされる回線の障害の発生原因を容易に特定することが可能である。
【０１１６】
また、実施の形態１においては、回線の障害が発生した場合、対向無線通信装置２０に対して、回線の障害が発生したことを通知する。これにより、ネットワーク管理者などのユーザーは、障害が発生した回線に係る無線通信装置１０と対向無線通信装置２０の２つの装置の原因解析用情報を入手する。その結果、ユーザは、無線通信装置１０と対向無線通信装置２０のうち、どちらの無線通信装置が原因で回線の障害が発生したのかを特定することができる。
【０１１７】
また、実施の形態１においては、障害の発生時刻ｔ１と障害の復旧時刻ｔ２のそれぞれの時刻の前後それぞれΔｔ時間分の障害情報を不揮発性記憶部に保存する。これにより、不揮発性記憶部に保存する障害情報の量を必要最小限に抑えることができる。
【０１１８】
なお、実施の形態１においては、本発明を無線通信方式がＦＤＤである例を示したが、本発明はこれに限定されるものではない。本発明は、例えば、無線通信方式としてＴＤＤ(Time Division Duplex)方式である場合において実施することも可能である。
【０１１９】
また、実施の形態１においては、例えば、回線Ｌ１の障害の発生時刻ｔ１と障害の復旧時刻ｔ２のぞれぞれの時刻の前後それぞれΔｔ時間分の障害情報に基づいて、ユーザが障害の原因を特定する。これとは別に、撮影装置３０のビデオカメラを増設したり、ビデオカメラの設置位置を変更するなどして、無線通信回線とは別の通信回線の障害、例えば、有線通信回線などの障害についてその原因を特定することも応用可能である。
【０１２０】
また、上記の実施の形態では、本発明をハードウェアの構成として説明したが、本発明はこれに限定されるものではない。本発明は、各構成要素の処理を、ＣＰＵ（Central Processing Unit）にコンピュータプログラムを実行させることにより実現することも可能である。
【０１２１】
上記の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実態のある記録媒体(trangible storage medium)を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programable ROM）、ＥＰＲＯＭ(Erasable PROM)）、フラッシュＲＯＭ、ＲＡＭ(Random Access Memory)を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１２２】
なお、本発明は上記実施の形態に限られたものではなく、趣旨を逸脱しない範囲で適宜変更することが可能である。
【符号の説明】
【０１２３】
１０…無線通信装置  １０ａ、２０ａ…アンテナ  ２０…対向無線通信装置  ３０、３１…撮影装置  ５０…監視装置  １１０、２１０…無線部  １１１…ユーザデータインタフェース部  １１２…ベースバンド部  １１３…モデム部  １１４…ＲＦ部  １２０、２２０…監視制御部  １２２…通信環境情報取得部  １２２ａ…センサ部  １２３ａ、２２３ａ…記憶部  １２３ｂ１〜１２３ｂ５…領域  １２３ｂ、２２３ｂ…他の記憶部  １２５…制御部  １２６…監視制御インタフェース部  １２８…通信品質情報取得部  ｔ１、ｔ１１…障害の発生時刻  ｔ２、ｔ２１…障害の復旧時刻  Δｔ、Δｔ１…時間  α、α１、β、γ…所定値  Ｌ１、Ｌ２…回線
【図１】
2020115687.tif 000003
【図２】
2020115687.tif 000004
【図３】
2020115687.tif 000005
【図４】
2020115687.tif 000006
【図５】
2020115687.tif 000007
【図６】
2020115687.tif 000008
【図７】
2020115687.tif 000009
【図８】
2020115687.tif 000010
【図９】
2020115687.tif 000011
【図１０】
2020115687.tif 000012
【図１１】
2020115687.tif 000013
【図１２】
2020115687.tif 000014
【図１３】
2020115687.tif 000015
【手続補正書】
【提出日】令和2年6月2日(2020.6.2)
【手続補正１】
【補正対象書類名】特許請求の範囲
【補正対象項目名】全文
【補正方法】変更
【補正の内容】
【特許請求の範囲】
【請求項１】
無線通信装置と、前記無線通信装置と対向して通信可能な対向無線通信装置と、を備え、
前記対向無線通信装置は、
前記無線通信装置から前記対向無線通信装置への下り通信回線の障害が発生した場合、前記下り通信回線の障害の発生を検出する前記対向無線通信装置の無線部と、
前記下り通信回線の障害の発生に関するイベント情報と前記下り通信回線の障害の発生時刻とを保存し、前記下り通信回線の障害の発生時刻を含む所定期間の前記対向無線通信装置の監視情報と周辺情報と通信品質情報と故障情報とを含む障害情報をさらに保存する前記対向無線通信装置の記憶部と、を有し、
前記無線通信装置は、
前記所定期間の前記無線通信装置の監視情報と周辺情報と通信品質情報と故障情報とを含む障害情報を保存する前記無線通信装置の記憶部と、
前記対向無線通信装置の前記障害情報を取得する前記無線通信装置の無線部と、を有し、
前記無線通信装置の前記障害情報と、前記対向無線通信装置の前記障害情報と、に基づいて前記下り通信回線の障害の発生原因が特定される、
無線通信システム。
【請求項２】
無線通信装置と、前記無線通信装置と対向して通信可能な対向無線通信装置と、を備える無線通信システムの方法であって、
前記対向無線通信装置が、
前記無線通信装置から前記対向無線通信装置への下り通信回線の障害が発生した場合、前記下り通信回線の障害の発生を検出し、
前記下り通信回線の障害の発生に関するイベント情報と前記下り通信回線の障害の発生時刻とを保存し、前記下り通信回線の障害の発生時刻を含む所定期間の前記対向無線通信装置の監視情報と周辺情報と通信品質情報と故障情報とを含む障害情報をさらに保存し、
前記無線通信装置が、
前記所定期間の前記無線通信装置の監視情報と周辺情報と通信品質情報と故障情報とを含む障害情報を保存し、
前記対向無線通信装置の前記障害情報を取得し、
前記無線通信装置の前記障害情報と、前記対向無線通信装置の前記障害情報と、に基づいて前記下り通信回線の障害の発生原因が特定される、
方法。
【請求項３】
無線通信装置と、前記無線通信装置と対向して通信可能な対向無線通信装置と、を備える無線通信システムのプログラムであって、
前記対向無線通信装置が、
前記無線通信装置から前記対向無線通信装置への下り通信回線の障害が発生した場合、前記下り通信回線の障害の発生を検出し、
前記下り通信回線の障害の発生に関するイベント情報と前記下り通信回線の障害の発生時刻とを保存し、前記下り通信回線の障害の発生時刻を含む所定期間の前記対向無線通信装置の監視情報と周辺情報と通信品質情報と故障情報とを含む障害情報をさらに保存し、
前記無線通信装置が、
前記所定期間の前記無線通信装置の監視情報と周辺情報と通信品質情報と故障情報とを含む障害情報を保存し、
前記対向無線通信装置の前記障害情報を取得し、
前記無線通信装置の前記障害情報と、前記対向無線通信装置の前記障害情報と、に基づいて前記下り通信回線の障害の発生原因が特定される、
ことをコンピュータに実行させるプログラム。